(57)【要約】【課題】ハンドセットを備えた据え置き型電話機において、ハンドセットを筐体に載置する際に、確実に通話状態から通話待ち状態に切替えを行なえるようにする。【解決手段】受話口受け部３２を、底部３２ａと、筐体３の上面から下向きに該底部の中央部へ傾斜し、該底部の周縁に接続される、受話口２２の外周縁部２２ａと係合する壁部３２ｂで構成する。また、受話口２２によって押下されるボタン部５３を、各々が受話口２２の外周縁部２２ａに沿うように、且つその周方向に略均一な割付で、回転自在に軸支された回転部材５１の上面に配置された４個の突起体５７で構成する。ハンドセット２を筐体３に載置する際に、受話口２２の外周縁部２２ａが受話口受け部３２の壁部３２ｂによって受話口受け部３２の底部３２ａの中心部へ案内されるとともに、４個の突起体５７うち少なくとも１つと当接し、ボタン部５３を押下することにより、フックスイッチ５２がオフされる。【選択図】図３
2008154109.tif 000002
【特許請求の範囲】
【請求項１】
一端側には送話器が収容されて送話口が形成され、他端側には受話器が収容されて受話口が形成されたハンドセットと、
前記送話口と係合する送話口受け部と、前記受話口と係合する受話口受け部とを有して前記ハンドセットが着脱自在に設けられた筐体と、
前記筐体の内部に設けられ、前記ハンドセットの着脱動作に連動して通話待ち状態及び通話状態を切替えるフックボタン機構とを備え、
前記フックボタン機構は、前記ハンドセットを前記筐体に載置する際に前記受話口によって押下されるボタン部と、筐体内側に突出するように設けられた当接部とを含み、前記筐体に回転自在に軸支され、前記ボタン部の押下動作によって回転される回転部材と、前記当接部と当接し、前記回転部材の回転動作によってオン／オフが行なわれ通話待ち状態及び通話状態を切替えるフックスイッチとを有する据え置き型電話機において、
前記受話口受け部は、底部と、前記筐体の上面から下向きに該底部の中央部へ傾斜し、該底部の周縁に接続される、前記受話口の外周縁部と係合する壁部で構成され、
前記ボタン部は、各々が前記受話口の外周縁部に沿うように、且つその周方向に略均一な割付で、前記回転部材の上面に配置された４個の突起体で構成され、前記受話口受け部の壁部における水平方向に対する勾配より緩やかに傾斜した前記突起体の上面の上辺が、前記ハンドセットを前記筐体から取り上げた状態において、前記受話口受け部の壁部に沿うように設けられ、
前記回転部材は、前記筐体の内部であって、前記送話口受け部と前記受話口受け部の中間部に位置する場所に支持されるように設けられた回転支持部を有し、
前記フックスイッチは、前記回転支持部近傍に配置された前記当接部に当接するように設けられ、
前記ハンドセットを前記筐体に載置する際に、前記受話口の外周縁部が前記受話口受け部の壁部によって前記受話口受け部の底部の中心部へ案内されるともに、前記４個の突起体うち少なくとも１つと当接し、前記ボタン部を押下することにより、前記フックスイッチがオフされて、確実に通話状態から通話待ち状態に切替えを行なえるようにしたことを特徴とする据え置き型電話機。
【請求項２】
一端側には送話器が収容されて送話口が形成され、他端側には受話器が収容されて受話口が形成されたハンドセットと、
前記送話口と係合する送話口受け部と、前記受話口と係合する受話口受け部とを有して前記ハンドセットが着脱自在に設けられた筐体と、
前記筐体の内部に設けられ、前記ハンドセットの着脱動作に連動して通話待ち状態及び通話状態を切替えるフックボタン機構とを備え、
前記フックボタン機構は、前記ハンドセットを前記筐体に載置する際に前記受話口によって押下されるボタン部と、筐体内側に突出するように設けられた当接部とを含み、前記筐体に回転自在に軸支され、前記ボタン部の押下動作によって回転される回転部材と、前記当接部と当接し、前記回転部材の回転動作によってオン／オフが行なわれ通話待ち状態及び通話状態を切替えるフックスイッチとを有する据え置き型電話機において、
前記受話口受け部は、底部と、前記筐体の上面から下向きに該底部の中央部へ傾斜し、該底部の周縁に接続される、前記受話口の外周縁部と係合する壁部で構成され、
前記ボタン部は、各々が前記受話口の外周縁部に沿うように、且つその周方向に略均一な割付で、前記回転部材の上面に配置された４個の突起体で構成され、
前記ハンドセットを前記筐体に載置する際に、前記受話口の外周縁部が前記受話口受け部の壁部によって前記受話口受け部の底部の中心部へ案内されるともに、前記４個の突起体うち少なくとも１つと当接し、前記ボタン部を押下することにより、前記フックスイッチがオフされて、確実に通話状態から通話待ち状態に切替えを行なえるようにしたことを特徴とする据え置き型電話機。
【発明の詳細な説明】
【技術分野】
【０００１】
本発明は、ハンドセットを備えた据え置き型電話機に関し、特に、ハンドセットの着脱動作に連動して通話待ち状態及び通話状態を切替えるフックボタン機構に関する。
【背景技術】
【０００２】
一般的に、卓上等に載置されて使用される据え置き型の電話機では、電話機本体の筐体の内部に設けられたフックボタン機構により、筐体へ載置されるハンドセットの着脱動作に連動して、フックスイッチのオン／オフが行なわれ通話待ち状態及び通話状態を切替えるように構成されている。
【０００３】
上記フックボタン機構を有する電話機における具体的な構成について図４、図５を参照して説明する。図４は従来のフックボタン機構を有する電話機を示す。この電話機１０１においては、筐体１０３上にハンドセット１０２の受話口１２２と係合する受話口受け部１３２が形成されており、さらに、この受話口受け部１３２に開口部１３３が形成され、この開口部１３３からボタン部１５３の一部が１箇所突出するように設けられている。さらに、ボタン部１５３の下端部には、フックスイッチ１５２が当接するように設けられている。
【０００４】
ハンドセット１０２を筐体１０３に載置すると、ボタン部１５３は、受話口１２２によって押下される。このボタン部１５３の下降動作に伴い、プリント基板１５８に実装されているフックスイッチ１５２が矢印Ａで示すように押下操作され、オフ状態となり、通話待ち状態となる。また、ハンドセット１０２を筐体１０３から取り上げると、ボタン部１５３の押圧が解除される。この押圧解除と同時に、フックスイッチ１５２の復帰スプリング（図示しない）の弾発力によって、ボタン部１５３を上昇させると共に、オン状態となり、通話状態となる。
【０００５】
また、図５は特許文献１に記載されている、従来のフックボタン機構を有する電話機の別の構成例を示す。この電話機１０１は、ボタン部１５３を有するフックレバー１５１が筐体１０３に回転自在に軸支され、ボタン部１５３の押下動作によってフックレバー１５１が回転されるよう構成している。さらに、フックレバー１５１に形成された当接部１５４がフックスイッチ１５２と当接する。ハンドセット１０２を筐体１０３に載置すると、フックスイッチ１５２が矢印Ｂで示すように押下操作され、オフ状態となり、通話待ち状態となる。なお、この電話機１０１では、フックスイッチ１５２のオフが行われるオンフック位置よりボタン部１５３が下動するのを規制するストッパ１５９を筐体１０３に設けて、ボタン部１５３の押込み過ぎによるフックスイッチ１５２の破損を防止している。
【０００６】
ところで、ハンドセットを筐体に載置する際、勢いよく載置するなどして、受話口が受話口受け部に正確に嵌合されず、ボタン部は受話口によって押下されない場合がある。その結果、フックスイッチがオフされず、通話状態から通話待ち状態に切り替えが行われないという問題があった。
【０００７】
特許文献２は、ハンドセットの送話口及び受話口をそれぞれ嵌合する受け部と、その両受け部間を連結する連結部とを一体的に形成して、ハンドセットの載置部を構成し、この載置部を電話機本体の筐体に対し移動可能に設け、ハンドセットの着脱動作に基づく載置部全体の移動によって、フックスイッチを作動させるようにした電話機を開示している。そのため、ハンドセットの着脱動作による移動部分（載置部）のサイズアップに伴って、電話機本体が大掛かりなものとなり易い。また、載置部全体をバネ部材で支持する必要があり、部品点数及び組み立て工数が増えて、製造コストが高くなるという問題を有している。
【０００８】
また、特許文献３は、ハンドセットの送話口及び受話口と、電話機本体の筐体に形成された両受け部に磁石を設けて、ハンドセットを筐体に載置する際に、送話口及び受話口が両受け部に嵌合される所定の位置に誘導させる電話機を開示している。そのため、ハンドセットを所定の位置に誘導させる範囲を広げるには磁力を高める必要がある。一方、磁力を強くしすぎると、ハンドセットを筐体に載置する際に、筐体に強い衝撃が加わり、電話機本体及びハンドセットの故障にもつながりかねない。その結果、ハンドセットに対する磁石の配置及び大きさ等の設定が困難であるという問題を有している。
【０００９】
また、特許文献４は、電話機本体の厚みを薄くするにあたって、フックスイッチが押下操作されオフ状態となるためのボタン部の移動量を小さくするようにしたフックボタン構造を有する電話機を開示している。しかしながら、この電話機では、ボタン部が受話口によって押下されて、はじめて、フックスイッチがオフ状態となる効果を奏するものであるから、ハンドセットを載置する際、ボタン部が受話口によって全く押下されない場合は、フックスイッチはオフされず、上述した通話状態から通話待ち状態に切り替えが行われないという問題は解決されない。
【特許文献１】実登第２５０７４１０号公報
【特許文献２】特開２００３−３１９０４７号公報
【特許文献３】特開２０００−１８４０３２号公報
【特許文献４】特開２００３−０６９６８３号公報
【発明の開示】
【発明が解決しようとする課題】
【００１０】
本発明は、上記問題を解決するためになされたものであり、コストアップを伴うことなく、ハンドセットを筐体に載置する際に、勢いよく載置するなどして、受話口が受話口受け部に嵌合されない場合でも、フックスイッチがオフされて、確実に通話状態から通話待ち状態に切替えを行なえるようにした据え置き型電話機を提供することを目的とする。
【課題を解決するための手段】
【００１１】
上記目的を達成するために請求項１の発明は、一端側には送話器が収容されて送話口が形成され、他端側には受話器が収容されて受話口が形成されたハンドセットと、前記送話口と係合する送話口受け部と、前記受話口と係合する受話口受け部とを有して前記ハンドセットが着脱自在に設けられた筐体と、前記筐体の内部に設けられ、前記ハンドセットの着脱動作に連動して通話待ち状態及び通話状態を切替えるフックボタン機構とを備え、前記フックボタン機構は、前記ハンドセットを前記筐体に載置する際に前記受話口によって押下されるボタン部と、筐体内側に突出するように設けられた当接部とを含み、前記筐体に回転自在に軸支され、前記ボタン部の押下動作によって回転される回転部材と、前記当接部と当接し、前記回転部材の回転動作によってオン／オフが行なわれ通話待ち状態及び通話状態を切替えるフックスイッチとを有する据え置き型電話機において、前記受話口受け部は、底部と、前記筐体の上面から下向きに該底部の中央部へ傾斜し、該底部の周縁に接続される、前記受話口の外周縁部と係合する壁部で構成され、前記ボタン部は、各々が前記受話口の外周縁部に沿うように、且つその周方向に略均一な割付で、前記回転部材の上面に配置された４個の突起体で構成され、前記受話口受け部の壁部における水平方向に対する勾配より緩やかに傾斜した前記突起体の上面の上辺が、前記ハンドセットを前記筐体から取り上げた状態において、前記受話口受け部の壁部に沿うように設けられ、前記回転部材は、前記筐体の内部であって、前記送話口受け部と前記受話口受け部の中間部に位置する場所に支持されるように設けられた回転支持部を有し、前記フックスイッチは、前記回転支持部近傍に配置された前記当接部に当接するように設けられ、前記ハンドセットを前記筐体に載置する際に、前記受話口の外周縁部が前記受話口受け部の壁部によって前記受話口受け部の底部の中心部へ案内されるともに、前記４個の突起体うち少なくとも１つと当接し、前記ボタン部を押下することにより、前記フックスイッチがオフされて、確実に通話状態から通話待ち状態に切替えを行なえるようにしたものである。
【００１２】
請求項２の発明は、一端側には送話器が収容されて送話口が形成され、他端側には受話器が収容されて受話口が形成されたハンドセットと、前記送話口と係合する送話口受け部と、前記受話口と係合する受話口受け部とを有して前記ハンドセットが着脱自在に設けられた筐体と、前記筐体の内部に設けられ、前記ハンドセットの着脱動作に連動して通話待ち状態及び通話状態を切替えるフックボタン機構とを備え、前記フックボタン機構は、前記ハンドセットを前記筐体に載置する際に前記受話口によって押下されるボタン部と、筐体内側に突出するように設けられた当接部とを含み、前記筐体に回転自在に軸支され、前記ボタン部の押下動作によって回転される回転部材と、前記当接部と当接し、前記回転部材の回転動作によってオン／オフが行なわれ通話待ち状態及び通話状態を切替えるフックスイッチとを有する据え置き型電話機において、前記受話口受け部は、底部と、前記筐体の上面から下向きに該底部の中央部へ傾斜し、該底部の周縁に接続される、前記受話口の外周縁部と係合する壁部で構成され、前記ボタン部は、各々が前記受話口の外周縁部に沿うように、且つその周方向に略均一な割付で、前記回転部材の上面に配置された４個の突起体で構成され、前記ハンドセットを前記筐体に載置する際に、前記受話口の外周縁部が前記受話口受け部の壁部によって前記受話口受け部の底部の中心部へ案内されるともに、前記４個の突起体うち少なくとも１つと当接し、前記ボタン部を押下することにより、前記フックスイッチがオフされて、確実に通話状態から通話待ち状態に切替えを行なえるようにしたものである。
【発明の効果】
【００１３】
請求項１の発明によれば、ハンドセットを筐体に載置する際に、受話口の外周縁部が受話口受け部の壁部によって受話口受け部の底部の中心部へ案内されるとともに、受話口受け部の壁部から突起体上面へスムーズに移動し、４個の突起体うち少なくとも１つと当接し、ボタン部を押下することが可能となる。その結果、回転部材が回転され、その回転動作によってフックスイッチがオフされるので、確実に通話状態から通話待ち状態に切替えを行うことができる。
また、電話機本体内部であって、送話口受け部と受話口受け部の中間部に位置する場所には、筐体上に凹み形状の受け部が形成されていないので、筐体内の回転支持部及びフックスイッチの配置に伴うスペース上の制約を受けにくく、電話機をコンパクトに構成することができる。
【００１４】
請求項２の発明によれば、ハンドセットを筐体に載置する際に、受話口の外周縁部が受話口受け部の壁部によって受話口受け部の底部の中心部へ案内されるとともに、４個の突起体うち少なくとも１つと当接し、ボタン部を押下することが可能となる。その結果、回転部材が回転され、その回転動作によってフックスイッチがオフされるので、確実に通話状態から通話待ち状態に切替えを行うことができる。
【発明を実施するための最良の形態】
【００１５】
以下、本発明の一実施形態に係る電話機において図１乃至図３を参照して説明する。図１は本実施形態による電話機を示す。この電話機１は、卓上等に載置されて使用されるいわゆる据え置き型の電話機である。電話機１は、ハンドセット２と、ハンドセット２が着脱自在に設けられた筐体３と、筐体３の上面に設けられた操作部４と、筐体３の内部に設けられ、ハンドセット２の着脱動作に連動して通話待ち状態及び通話状態を切替えるフックボタン機構５とを備えている。
【００１６】
ハンドセット２は、一端側には送話器（図示しない）が収容されて送話口２１が形成され、他端側には受話器（図示しない）が収容されて受話口２２が形成されている。
【００１７】
筐体３は、送話口２１と係合する送話口受け部３１と、受話口２２と係合する受話口受け部３２とを有している。両受け部３１及び３２は、筐体３の上面の左側部分に設けられており、それぞれに対応する、底部３１ａ及び３２ａと、筐体３の上面から下向きに該底部の中央部へ傾斜し該底部の周縁に接続される、送話口２１及び受話口２２の外周縁部２１ａ及び２２ａと係合する壁部３１ｂ及び３２ｂで構成されている。
【００１８】
操作部４は、筐体３の上面の右側部分に設けられており、ダイヤルボタン４１と通話時間や通話者情報等を表示する表示部４２とで構成されている。
【００１９】
図２及び図３は本実施形態による電話機１のフックボタン機構を示す。フックボタン機構５は、筐体３に回転自在に軸支された回転部材５１と、回転部材５１の回転動作によってオン／オフが行なわれ通話待ち状態及び通話状態を切替えるフックスイッチ５２とで構成されている。回転部材５１は、ハンドセット２を筐体３に載置する際に、受話口２２によって押下されるボタン部５３と、筐体３内側に突出するように設けられた当接部５４と、回転動作の中心軸を有する回転支持部５５とで構成されており、ボタン部５３の押下動作によって回転される。また、ボタン部５３の下方で、且つ筐体３に設けられたバネ部材５６で上方に付勢されている。バネ部材５６としては、例えば、コイルスプリング等を用いることができる。
【００２０】
ボタン部５３は、各々が受話口２２の外周縁部２２ａに沿うように、且つその周方向に略均一な割付で、回転部材５１の上面に配置された４個の突起体５７で構成されている。また、突起体５７の上面は、受話口受け部３２の壁部３２ｂの水平方向に対する勾配より緩やかに傾斜して形成されている。ハンドセット２を筐体３から取り上げた状態において、受話口受け部３２の底部３２ａから受話口受け部３２の壁部３２ｂにかけて形成された４箇所の開口部３３から突起体５７の一部を突出させると共に、突起体５７の上面の上辺が受話口受け部３２の壁部３２ｂに沿うように、ボタン部５３を配置している。
【００２１】
当接部５４は、フックスイッチ５２と当接しており、ボタン部５３の押下動作に連動してフックスイッチ５２の切り替え操作を行う。
【００２２】
回転支持部５５は、筐体３の内部であって、送話口受け部３１と受話口受け部３２の中間部に位置する場所において、筐体３の上部から支持されるように設けられている。また、フックスイッチ５２は、回転支持部５５近傍に配置された当接部５４に当接するように設けられており、筐体３内部に取り付けられたプリント基板５８に実装されている。上記場所には、筐体３の上面に凹み形状の受け部が形成されていないので、筐体３内部における回転支持部５５及びフックスイッチ５２の配置に伴うスペース上の制約を受けにくく、電話機１をコンパクトに構成することができる。
【００２３】
上記のように構成された本実施形態のフックボタン機構の動作について次に説明する。図３（ａ）に示すように、ハンドセット２を筐体３から取り上げた状態においては、ボタン部５３の押圧が解除され、回転部材５１はバネ部材５６の弾性力により上方に付勢されて受話口受け部３２の下面と当接し、略水平の状態を保っている。そのため、フックスイッチ５２は押し下げられることなく、フックスイッチ５２が有する復帰スプリング（図示しない）により、オン状態が保たれて、通話状態となっている。
【００２４】
上記の状態から、図３（ｂ）に示すように、ハンドセット２を筐体３に載置すると、ボタン部５３は、受話口２２によって押下される。ここで、ハンドセット２を載置する際に、勢いよく載置するなどして、受話口２２が受話口受け部３２に嵌合されない場合には、受話口２２の外周縁部２２ａが受話口受け部３２の壁部３２ｂによって受話口受け部３２の底部３２ａの中心部へ案内されるとともに、受話口受け部３２の壁部３２ｂから突起体５７の上面へスムーズに移動し、４個の突起体５７うち少なくとも１つと当接して、ボタン部５３は押下される。その後、ハンドセット２の自重により、バネ部材５６及び復帰スプリングの弾性力に抗してボタン部５３を押下した状態が保たれる。その結果、回転部材５１が回転されるとともに、当接部５４により、フックスイッチ５２が押し下げられてオフされ、確実に通話状態から通話待ち状態に切替えを行うことができる。
【００２５】
なお、本発明は、上記実施形態の構成に限定されるものではなく、発明の趣旨を変更しない範囲で種々の変形が可能である。例えば、このようなフックボタン機構５に、上述した特許文献１に記載されているような、オンフック位置より下動するのを規制するストッパを筐体３に設けて、ボタン部５３の押込み過ぎによるフックスイッチ５２の破損を防止する機能等を追加したものであってもよい。
【図面の簡単な説明】
【００２６】
【図１】本発明の一実施形態に係る電話機を示す斜視図。
【図２】同電話機のフックボタン機構を示す平面図。
【図３】（ａ）は同電話のフックボタン機構において、ハンドセットを取り上げた状態の側断面図、（ｂ）は同電話のフックボタン機構において、ハンドセットを載置した状態の側断面図。
【図４】従来のフックボタン機構を有する電話機の構成例を示す断面図。
【図５】特許文献１に記載された、同電話機の他の構成例を示す断面図。
【符号の説明】
【００２７】
１  電話機
２  ハンドセット
３  筐体
４  操作部
５  フックボタン機構
２１  送話口
２１ａ  外周縁部
２２  受話口
２２ａ  外周縁部
３１  送話口受け部
３１ａ  底部
３１ｂ  壁部
３２  受話口受け部
３２ａ  底部
３２ｂ  壁部
３３  開口部
４１  ダイヤルボタン
４２  表示部
５１  回転部材
５２  フックスイッチ
５３  ボタン部
５４  当接部
５５  回転支持部
５６  バネ部材
５７  突起体
５８  プリント基板
１０１  電話機
１０２  ハンドセット
１０３  筐体
１２２  受話口
１３２  受話口受け部
１３３  開口部
１５１  フックレバー
１５２  フックスイッチ
１５３  ボタン部
１５４  当接部
１５８  プリント基板
１５９  ストッパ
【図１】
2008154109.tif 000003
【図２】
2008154109.tif 000004
【図３】
2008154109.tif 000005
【図４】
2008154109.tif 000006
【図５】
2008154109.tif 000007